(57)【要約】 【課題】 容易に直角度が得られ，作業性がよく標準化しやすい配電盤を提供することを目的とする。【解決手段】垂直支柱１０と奥行部材２０の端面はいずれも直角に曲げられた５辺からなり，垂直支柱１０ａと垂直支柱１０ｃとを双方の第２辺１２に相当する面１２ａが対向するように，且つ双方の第１辺１１に相当する面１１ａが同一平面内に位置するように配置し，垂直支柱１０の長孔１６に奥行部材２０の鉤部２６をはめ込む。このようにはめ込むと奥行部材２０の端面の各辺が垂直支柱１０の第２辺に相当する面１２ａに沿うように接するとともに奥行部材２０の第１辺に相当する面２１ａと第５辺に相当する面２５ａが垂直支柱１０の第１辺に相当する面１１ａに接するため，垂直支柱１０と奥行部材２０が直交するように配置された仮組み状態となり，面１１ａと面２１ａ及び面２５ａとをリベット又はねじで結合する。【選択図】 図１
2005027483.tif 000002
【特許請求の範囲】
【請求項１】
方形の底面の４隅から立ち上がる４本の垂直支柱と，前記垂直支柱の対向する２本を連結する水平部材を有する六面体形状の配電盤において，
対向する前記垂直支柱のそれぞれは，水平面で切断したときの断面が，ともにたがいに対向する前記垂直支柱方向へ突き出るとともに互いに同一平面内に位置する第１辺と，前記第１辺から直角に曲がった第２辺と，前記第２辺から直角に曲がり互いに対向する前記垂直支柱から離れる方向に向かうとともに互いに同一平面内に位置する第３辺を有するように曲げ加工されて形成され，
前記水平部材は，その長手方向と直交する面で切断された端面を有し，前記端面は第１辺，前記第１辺から直角に曲がった第２辺，前記第２辺から直角に曲がり前記第１辺とは逆方向に伸びる第３辺，前記第３辺から前記第２辺と対向するように直角に曲がった第４辺，前記第４辺から直角に曲がり前記第１辺方向に伸びるとともに該第１辺と同じ平面内に位置する第５辺を有するように曲げ加工されて形成され，
前記水平部材を，その両端部の前記第１辺と前記第５辺に相当する面が前記対向する垂直支柱の前記第１辺に相当する面と接するとともに，その両端面が前記対向する垂直支柱の前記第２辺に相当する面と接するように配置させ，
前記水平部材の前記第１辺  及び／又は  前記第５辺に相当する面と前記垂直支柱の前記第１辺に相当する面とをねじ又はリベットによって結合させたことを特徴とする配電盤。
【請求項２】
前記水平部材の前記第１辺  及び／又は  前記第５辺に相当する面の端部からさらに前記水平部材の長手方向に鉤部が延長して形成され，前記垂直部材の前記第１辺に相当する面と前記第２辺に相当する面との曲部に前記鉤部がはめ込まれる孔が形成されていることを特徴とする請求項１の配電盤。
【請求項３】
前記水平部材と前記垂直支柱を結合したとき，前記水平部材の前記第３辺に相当する面が前記垂直支柱の前記第３辺に相当する面から突き出さないように前記水平部材が形成されていることを特徴とする請求項１又は２に記載の配電盤。
【発明の詳細な説明】
【技術分野】
【０００１】
本発明は配電盤の枠組み構造に関する。
【背景技術】
【０００２】
配電盤の枠組みには，垂直部材と水平部材とを結合して構成した六面体構造のものが多い。図９は特許文献１に示されている従来の配電盤の枠組みであって，方形の底面の４隅から垂直支柱１００が立ち上がり，この垂直支柱１００の上端及び下端に奥行部材１０１や左右部材１０２が結合されて六面体が構成されている。さらに，奥行部材１０１と平行に中間奥行部材１０３や中間奥行部材１０３と下部の奥行部材１０１との間に設けられる中間垂直部材１０４，中間垂直部材１０４と前後の垂直支柱１００との間に設けられる部分奥行部材１０５を有している。
【特許文献１】実公昭６３−２５０３２号公報（第１図）
【発明の開示】
【発明が解決しようとする課題】
【０００３】
上述した従来の配電盤のそれぞれの部材相互間の結合は溶接によって行われており，大きい強度は得られるが，垂直部材と水平部材との間には直角度が必要であり，溶接作業においては直角度を維持するために冶具などを用いて作業する必要があって，作業性が悪いという問題があった。
したがって，本願発明はこのような問題点を解決するためになされたものであって，容易に直角度が得られ，作業性がよく標準化しやすい配電盤を提供することを目的とする。
【課題を解決するための手段】
【０００４】
上記の問題を解決するために，請求項１の発明は，方形の底面の４隅から立ち上がる４本の垂直支柱と，垂直支柱の対向する２本を連結する水平部材を有する六面体形状の配電盤において，対向する垂直支柱のそれぞれは，水平面で切断したときの断面が，ともにたがいに対向する垂直支柱方向へ突き出るとともに互いに同一平面内に位置する第１辺と，第１辺から直角に曲がった第２辺と，第２辺から直角に曲がり互いに対向する垂直支柱から離れる方向に向かうとともに互いに同一平面内に位置する第３辺を有するように曲げ加工されて形成され，水平部材は，その長手方向と直交する面で切断された端面を有し，端面は第１辺，第１辺から直角に曲がった第２辺，第２辺から直角に曲がり第１辺とは逆方向に伸びる第３辺，第３辺から第２辺と対向するように直角に曲がった第４辺，第４辺から直角に曲がり第１辺方向に伸びるとともに該第１辺と同じ平面内に位置する第５辺を有するように曲げ加工されて形成され，水平部材を，その両端部の第１辺と第５辺に相当する面が対向する垂直支柱の第１辺に相当する面と接するとともに，その両端面が対向する垂直支柱の第２辺に相当する面と接するように配置させ，水平部材の第１辺  及び／又は  第５辺に相当する面と垂直支柱の第１辺に相当する面とをねじ又はリベットによって結合させることとしている。
【０００５】
請求項２の発明は，請求項１の発明の配電盤において，水平部材の第１辺  及び／又は  第５辺に相当する面の端部からさらに該水平部材の長手方向に鉤部が延長して形成され，垂直部材の第１辺に相当する面と第２辺に相当する面との曲部に鉤部がはめ込まれる孔が形成されていることとしている。
【０００６】
請求項３の発明は，請求項１又は２の発明において，水平部材と垂直支柱を結合したとき，水平部材の第３辺に相当する面が垂直支柱の第３辺に相当する面から突き出さないように水平部材が形成されていることとしている。
【発明の効果】
【０００７】
請求項１の発明は，長手方向に沿って直角曲げされた水平部材と垂直部材を使用し，水平部材をその端面が垂直支柱の垂直面（第２辺に相当する面）と接するように配置することにより自動的に直角配置が得られ，この状態で水平部材の垂直面（第１辺と第５辺に相当する面）と垂直支柱の垂直面（第１辺に相当する面）とを重ねて，ねじやリベットによる結合をするだけで直角度が維持されるため，作業性がよく強固な配電盤を簡単に構成できるという効果を奏する。
請求項２の発明は，水平部材の鉤部を垂直支柱の孔にはめ込むことによって仮組み立てが可能になるとともに，直角結合をより維持しやすくなるため，より強固でより組立作業性のよい配電盤を構成できるという効果を奏する。
請求項３の発明は，垂直支柱の第２辺の高さより水平部材の第２辺の高さを低くすることにより，水平部材の端面と垂直支柱の接触点が多くなり，水平部材と垂直部材との直角結合がより維持しやすくなるため，より強固な配電盤を構成できるほか，垂直支柱から水平部材がはみ出ないため，この水平部材を奥行部材として使用したときは容易に側板を取り付けたり列盤構成ができるという効果を奏する。
【発明を実施するための最良の形態】
【０００８】
本発明を実施するための最良の形態を図１ないし図８に示される実施例において説明する。
図１は本実施例の配電盤の枠組みの一部を拡大した図を含むこの枠組みの平面図であり，図２はこの配電盤の枠組みを左上方から見た斜視図であり，図３はこの枠組みを左下方から見た部分図である。
この配電盤の枠組みは，配電盤の正面側に位置する２本の垂直支柱１０ａ及び１０ｂ並びに裏面側に位置する垂直支柱１０ｃ及び１０ｄと，垂直支柱１０ａと垂直支柱１０ｃとをその上端部及び下端部で連結する２本の奥行部材２０ａ及び２０ｃ並びに垂直支柱１０ｂと垂直支柱１０ｄとをその上端部及び下端部で連結する２本の奥行部材２０ｂ及び２０ｄと，垂直支柱１０ａと垂直支柱１０ｂとをその上端部及び下端部で連結する２本の左右部材３０ａ及び３０ｃ並びに垂直支柱１０ｃと垂直支柱１０ｄとをその上端部及び下端部で連結する２本の左右部材３０ｂ及び３０ｄとによって六面体形状が構成されている。これらの部材はいずれも鉄板を長手方向に直角に曲げて形成されており，垂直支柱１０ａないし垂直支柱１０ｄは互いに実質的に同一形状の部材であり，奥行部材２０ａないし奥行部材２０ｄは互いに実質的に同一形状の部材であり，左右部材３０ａないし左右部材３０ｄは互いに実質的に同一形状の部材であるため，以下の説明において特記しない限り総称してそれぞれ，垂直支柱１０，奥行部材２０及び左右部材３０という。
【０００９】
図４及び図５は，この枠組みが組み立てられた状態で垂直支柱１０ａだけを右上方から見た図及び左やや下方から見た図である。図１，図４及び図５を参照して，垂直支柱１０は第１辺１１，第１辺１１から直角に曲がった第２辺１２，第２辺１２から直角に曲がり第１辺１１とは逆方向に伸びる第３辺１３，第３辺１３から第２辺１２と対向するように直角に曲がった第４辺１４，第４辺１４から直角に曲がり第１辺１１方向に伸びるとともに第１辺１１と同じ平面内に位置する第５辺１５を有するように曲げ加工されている。この垂直支柱１０の第１辺１１に相当する面１１ａと第２辺１２に相当する面１２ａとの境目である曲部に沿って，複数の長孔１６が形成されている。
【００１０】
図６は，この枠組みが組み立てられた状態で奥行部材２０ａだけを左やや上方から見た図である。図６を参照して，奥行部材２０は，第１辺２１，第１辺２１から直角に曲がった第２辺２２，第２辺２２から直角に曲がり第１辺２１とは逆方向に伸びる第３辺２３，第３辺２３から第２辺２２と対向するように直角に曲がった第４辺２４，第４辺２４から直角に曲がり第１辺２１方向に伸びるとともに第１辺２１と同じ平面内に位置する第５辺２５を有するように曲げ加工されている。なお，奥行部材２０の第１辺２１に対応する面２１ａはその端面が長手方向に延長され鉤部２６が形成され，奥行部材２０の長手方向の両端面は鉤部２６の部分を除いて長手方向と直交する垂直面内にある。なお，この鉤部は第５辺に相当する面を延長して設けてもよい。
【００１１】
図７は，この枠組みが組み立てられた状態で左右部材３０ａだけを左下方から見た図である。左右部材３０は，組み立てられた状態で垂直面となる垂直面３１，垂直面３１から長手方向に沿って曲げられた水平面３２，垂直面３１及び水平面３２の長手方向の縁に沿って直角に曲げられて形成された折曲片３３及び３４並びに垂直面３１及び水平面３２の左右の端部から直角に曲げられた取付折曲片３５及び３６を有する。なお，取付折曲片３５と取付折曲片３６は突合せ部分３７においてそれらの端面どうしが突き合わされている。
【００１２】
この実施例の配電盤の枠組みは以下のように組み立てられる。まず，垂直支柱１０と奥行部材２０を以下のように結合する。すなわち，図１を参照して，垂直支柱１０ａと垂直支柱１０ｃとを双方の第２辺１２に相当する面１２ａが対向するように，且つ双方の第１辺１１に相当する面１１ａが同一平面内に位置するように配置し，垂直支柱１０の長孔１６に奥行部材２０の鉤部２６をはめ込む。奥行部材２０の第１辺２１と鉤部２６との間隔はこのはめ込みが可能であって，かつ，がたが少ないように形成されている。このようにはめ込むと奥行部材２０の端面の各辺が垂直支柱１０の第２辺に相当する面１２ａに沿うように接するとともに奥行部材２０の第１辺に相当する面２１ａと第５辺に相当する面２５ａが垂直支柱１０の第１辺に相当する面１１ａに接するため，垂直支柱１０と奥行部材２０が直交するように配置された仮組み状態となる。この状態で，垂直支柱１０の２個の孔１７と奥行部材２０の２個の孔２７とにリベット又はねじを装着して双方を結合する。このような結合を垂直支柱１０の上端部及び下端部について配電盤を正面から見たときの左側と右側の奥行部材２０について別々に行う。
次に，このようして奥行部材２０が結合された左右の垂直支柱１０に左右部材３０を結合する。左右部材３０の取付折曲片３５及び３６に形成された孔３８及び３９を垂直支柱１０に形成された孔１８及び１９にあわせてリベット又はねじで結合する。このような結合を垂直支柱１０の上端部及び下端部において配電盤の正面側及び裏面側において行う。このような結合により六面体の枠組みを簡単に行える。
【００１３】
このような枠組みは，図１を参照して，垂直支柱１０の第３辺１３に相当する面１３ａと奥行部材２０の第３辺２３に相当する面２３ａが同一平面内にあるため六面体の外側に側板を取り付けても正面から見たとき垂直支柱１０と側板との間に隙間ができて見栄えが悪くなるようなこともなく，同様な方法で組み立てた複数の六面体を列盤として構成したときも，隣り合う配電盤の垂直支柱１０が隙間なく並ぶため双方を簡単に結合できる。
【００１４】
なお，奥行部材２０及び左右部材３０を垂直支柱１０の上端部及び下端部に取り付けることによって六面体を構成したが，構成された六面体に奥行部材２０と同一の部材を垂直支柱１０の中間に取り付けた中間奥行部材４０を同様な方法で設け，さらに，中間奥行部材４０と下部の奥行部材２０との間に例えば断面がＬ字状の中間縦部材４１を取り付け，中間縦部材４１と垂直支柱１０との間に例えば断面がL字状の部分奥行部材４２を設けることも自在であり，内蔵部品などの取り付けが簡単となる。
図８は部分奥行部材４２を取り付ける方法を説明する図であって，部分奥行部材４２は長手方向に沿ってＬ字状に曲げられて形成され，長手方向の一方の端部に差込用タブ４２ａが形成され他方の端部にねじ止め用タブ４２ｂが形成されている。この部分奥行部材４２を取り付けるときは，差込用タブ４２ａを垂直支柱１０の長孔１６に差し込む。この長孔１６の水平方向の巾は，図８（ｂ）に示されているように部分奥行部材４２を水平面内でやや斜めにしないと差し込むことができないような巾となっている。そして矢印のごとく部分奥行部材４２を回転することによって差込用タブ４２ａの部分がわずかに曲がって部分奥行部材４２と垂直支柱１０とが差込部でがたつくことがなく組み合わされ，ねじ止め用タブ４２ｂを中間縦部材４１にねじ止めすることによって，確実に部分奥行部材４２を装着することができる。
【００１５】
なお，前述した奥行部材２０を垂直支柱１０と組み合わせるときも，奥行部材をやや斜めにしないと鉤部２６を長孔１６に差し込めないようになっており，奥行部材２０を取り付けたときは鉤部２６の付け根部分はやや曲がるががたのない結合となり，より強固な枠組みを構成できる。
【図面の簡単な説明】
【００１６】
【図１】この発明による配電盤の実施例の枠組みを示す平面図である。
【図２】図１の配電盤の斜視図である。
【図３】図２を他の方向から見た部分図である。
【図４】図１の配電盤の構成部材を説明する斜視図である。
【図５】図４を他の方向から見た図である。
【図６】図１の配電盤の他の構成部材を示す斜視図である。
【図７】図１の配電盤のさらに他の構成部材を示す斜視図である。
【図８】図１の配電盤のさらに他の構成部材の取付方法を説明する図である。
【図９】従来の配電盤を示す斜視図である。
【符号の説明】
【００１７】
１０，１０ａ，１０ｂ，１０ｃ，１０ｄ  垂直支柱
２０，２０ａ，２０ｂ，２０ｃ，２０ｄ  奥行部材
３０，３０ａ，３０ｂ，３０ｃ，３０ｄ  左右部材
１１  第１辺
１２  第２辺
１３  第３辺
１４  第４辺
１５  第５辺
１６  長孔
２１  第１辺
２２  第２辺
２３  第３辺
２４  第４辺
２５  第５辺
３１  垂直面
３２  水平面
３３，３４  折曲片
３５，３６  取付折曲片
３７  突合せ部分
１７，２７，３８，３９  孔
４０ 中間奥行部材
４１  中間縦部材
４２  部分奥行部材
４２ａ  差込用タブ
４２ｂ  ねじ止め用タブ
【図１】
2005027483.tif 000003
【図２】
2005027483.tif 000004
【図３】
2005027483.tif 000005
【図４】
2005027483.tif 000006
【図５】
2005027483.tif 000007
【図６】
2005027483.tif 000008
【図７】
2005027483.tif 000009
【図８】
2005027483.tif 000010
【図９】
2005027483.tif 000011